(57)【要約】      （修正有）【課題】電源を必要とせず、購入時に鍵を使用することもなく、設置が容易で、その管理も容易で、簡単な構造の雨具販売装置を提供する。【解決手段】雨具販売装置１０は、長手方向の一端に架台１１が取り付けられ、架台１１から上方へ延びるように配置される軸部材１２と、軸部材１２に支持される２つ以上の大きさが異なるリング状部材１３と、リング紐に挿通可能な突出部１６と、突出部１６により形成される傘の柄を収納可能な収納部１７と、硬貨投入口１８と、投入された硬貨を案内する硬貨案内部と、収納部１７の開口を開閉するためにスライド可能なスライド部材１９と、スライド部材１９の一端に回動可能に取り付けられ、硬貨案内部に係止するための係止片を有す回動部とを備え、各リング状部材１３に複数配設される雨具取付具１５とを含む。【選択図】図１
0003149654.tif 000002
【実用新案登録請求の範囲】
【請求項１】
リング紐が付いた雨具もしくは傘またはその両方を販売するための雨具販売装置であって、
長手方向の一端に架台が取り付けられ、前記架台から上方へ延びるように配置される軸部材と、
前記軸部材に支持される２つ以上の大きさが異なるリング状部材と、
前記リング紐に挿通可能な突出部と、前記突出部により形成される前記傘の柄を収納可能な収納部と、硬貨投入口と、投入された硬貨を案内する硬貨案内部と、前記収納部の開口を開閉するためにスライド可能なスライド部材と、前記スライド部材の一端に回動可能に取り付けられ、前記硬貨案内部に係止するための係止片を有する回動部とを備える、各前記リング状部材に複数配設される雨具取付具とを含み、
前記収納部の開口が前記スライド部材により閉鎖されていて、前記硬貨を投入しない場合には、前記係止片により前記スライド部材はスライド不能とされ、前記硬貨を投入した場合は、投入された前記硬貨が前記硬貨案内部を通して前記回動部上に載置され、前記回動部が回動して前記係止片が下方へ押し下げられ、前記係止片による前記硬貨案内部への係止が解除されて、前記スライド部材のスライドを可能にする、雨具販売装置。
【請求項２】
前記リング状部材は、前記軸部材の周囲を取り囲むように離間して配置され、前記リング状部材と前記軸部材とが複数の支持部材により連結される、請求項１に記載の雨具販売装置。
【請求項３】
前記軸部材および前記リング状部材と前記複数の支持部材とが、ヒンジを用いて連結され、前記リング状部材が、一部に伸縮および変形可能な弾性部材を含み、前記雨具販売装置の移送時には前記複数の支持部材を前記軸部材へ向けて倒すとともに前記リング状部材を収縮および変形させ、設置時には前記複数の支持部材を前記軸部材から離間する方向へ倒すとともに前記リング状部材を伸長させる、請求項１または２に記載の雨具販売装置。
【請求項４】
前記軸部材は、前記硬貨を取り出す硬貨取出口を備え、前記支持部材は、前記雨具取付具から前記軸部材へと連通する連通部を備えており、前記硬貨を、前記連通部を通して前記硬貨取出口へと落下させる、請求項１〜３のいずれか１項に記載の雨具販売装置。
【請求項５】
前記硬貨案内部は、前記回動部上に載置された前記硬貨が前記スライド部材のスライドによって前記係止片と当接し、前記係止片によって前記スライド部材のスライド方向へ押し出されることを可能にする硬貨排出部を備える、請求項１〜４に記載の雨具販売装置。
【請求項６】
前記スライド部材に取り付けられ、前記スライド部材のスライドに伴い、前記回動部上に載置された前記硬貨を押し出して前記硬貨案内部に設けられた硬貨排出部から排出することを可能にする押出部材をさらに備える、請求項１〜４に記載の雨具販売装置。
【請求項７】
前記硬貨排出部は、前記硬貨を排出するための硬貨排出口と、前記硬貨が前記回動部上へ載置されただけの状態においては前記硬貨排出口を閉鎖し、前記スライド部材のスライドに伴い押圧されることにより前記硬貨排出口を開放して前記硬貨を排出することを可能にする幕状物とを備える、請求項５または６のいずれかに記載の雨具販売装置。
【考案の詳細な説明】
【技術分野】
【０００１】
本考案は、リング紐が付けられた雨具もしくは傘またはその両方を自動販売する雨具販売装置に関する。
【背景技術】
【０００２】
傘やかっぱといった雨具は、スーパーマーケットやコンビニエンスストア等で購入することができるが、近年、自動販売機でも購入することができるようになっている。傘の自動販売機についての技術としては、例えば、特許文献１および２に記載の技術がある。これらの自動販売機は、購入希望者が所定の硬貨を硬貨投入口に投入することにより、商品取出口へ傘を送り出すが、傘を送り出すために電源を必要とする。
【０００３】
自動販売機ではないが、硬貨を投入することにより施錠可能とし、鍵の紛失を防止できる傘立て用施錠装置が提案されている（特許文献３参照）。
【０００４】
この施錠装置は、一端にコイン投入口を有するとともに、他端にコイン導出口を有するコイン案内路と、このコイン案内路にコインが存在しない場合には施錠部材が閉成方向に移動するのを禁止する閉成禁止機構と、コイン案内路にコインが投入された場合に、閉成禁止機構の施錠部材に対する移動禁止状態を解除する閉成許容機構と、施錠部材が閉成位置にロックされている間コインを保持しておくためのシャッタ機構と、施錠部材の開成動作を利用して、シャッタ機構のコイン保持状態を解除し、コインを導出口に導くための返却機構を具備するものである。
【特許文献１】特開平６−２３６４７９号公報
【特許文献２】特開平７−２３０５７８号公報
【特許文献３】特開平９−１５８５７９号公報
【考案の開示】
【考案が解決しようとする課題】
【０００５】
従来の傘の自動販売機は、上記のように、電源を必要とし、設置場所が限定される。また、かなりの重量があり、そのサイズも比較的大きいため、設置が容易ではない。
【０００６】
上記のコイン投入式傘立て施錠装置を販売装置として活用することも考えられるが、鍵を使用するものであるため、購入時に鍵を貸与する必要があり、鍵の管理も必要となる。
【課題を解決するための手段】
【０００７】
本考案は、上記課題に鑑みてなされたものであり、購入時に鍵を必要とせず、電源も必要とせず、設置も容易な雨具販売装置を提供する。本考案では、鍵および電源を使用しないために、機械式で、硬貨の投入により傘等が取り出せるようにする。また、設置を容易にするために、軽量で簡単な構造とし、かつ出来るだけ多くの傘等を販売できるような構造とする。
【０００８】
すなわち、本考案によれば、リング紐が付いた雨具もしくは傘またはその両方を販売するための雨具販売装置であって、長手方向の一端に架台が取り付けられ、架台から上方へ延びるように配置される軸部材と、軸部材に支持される２つ以上の大きさが異なるリング状部材と、リング紐に挿通可能な突出部と、突出部により形成される傘の柄を収納可能な収納部と、硬貨投入口と、投入された硬貨を案内する硬貨案内部と、収納部の開口を開閉するためにスライド可能なスライド部材と、スライド部材の一端に回動可能に取り付けられ、硬貨案内部に係止するための係止片を有する回動部とを備える、各リング状部材に複数配設される雨具取付具とを含む装置を提供することができる。
【０００９】
この雨具販売装置は、収納部の開口がスライド部材により閉鎖されていて、硬貨を投入しない場合には、係止片によりスライド部材はスライド不能とされ、硬貨を投入した場合は、投入された硬貨が硬貨案内部を通して回動部上に載置され、回動部が回動して係止片が下方へ押し下げられ、係止片による硬貨案内部への係止が解除されて、スライド部材のスライドを可能にすることを特徴とする。
【００１０】
このような構成および構造とすることで、電源を必要とせず、鍵を使用することがなく、設置場所が限定されず、設置も容易となる。したがって、突然、雨が降ってきた場合に多くのかっぱが必要とされる野球場やサッカー場等に設置することができ、また、コンパクトで軽量であるため、居酒屋やスナック等には傘の販売装置を簡単に設置することができる。
【００１１】
この雨具販売装置は、出来るだけ多くの雨具を販売するために出来るだけ多くの雨具取付具を配設することができるように、リング状部材が、軸部材の周囲を取り囲むように離間して配置され、そのリング状部材を強固に支持するために、リング状部材と軸部材とが複数の支持部材により連結される構造とすることができる。
【００１２】
また、雨具販売装置は、軸部材およびリング状部材と複数の支持部材とが、ヒンジを用いて連結され、リング状部材が、一部に伸縮および変形可能な弾性部材を含み、雨具販売装置の移送時には、コンパクトにして搬送しやすくするために、複数の支持部材を軸部材へ向けて倒すとともにリング状部材を収縮および変形させ、設置時には複数の支持部材を軸部材から離間する方向へ倒すとともにリング状部材を伸長させることができる。
【００１３】
雨具販売装置は、軸部材が、硬貨を取り出す硬貨取出口を備えるものとし、支持部材が、雨具取付具から軸部材へと連通する連通部を備えるものとし、硬貨を、連通部を通して硬貨取出口へと落下させる構造とすることができる。これにより、雨具取付具毎に硬貨を回収する必要がなくなり、硬貨回収の効率化を図ることができる。
【００１４】
上記の硬貨回収を可能にするために、硬貨案内部は、回動部上に載置された硬貨がスライド部材のスライドによって係止片と当接し、係止片によってスライド部材のスライド方向へ押し出されることを可能にする硬貨排出部を備える。
【００１５】
係止片では硬貨を十分に押し出すことができない場合、別途、スライド部材に取り付けられ、スライド部材のスライドに伴い、回動部上に載置された硬貨を押し出して硬貨案内部に設けられた硬貨排出部から排出することを可能にする押出部材を備えることができる。
【００１６】
この硬貨排出部は、例えば、硬貨を排出するための硬貨排出口と、硬貨が回動部上へ載置されただけの状態においては硬貨排出口を閉鎖し、スライド部材のスライドに伴い押圧されることにより硬貨排出口を開放して硬貨を排出することを可能にする幕状物とを備えるものとすることができる。幕状物に限られるものではなく、ヒンジ付きの扉のように、押圧すると開く構造であればいかなるものでもよい。
【００１７】
排出された硬貨は、上記の連通部を通して硬貨取出口へと落下させることができ、硬貨が投入された場合に適切に雨具を販売することができるとともに、投入された硬貨を効率良く回収することが可能となる。
【考案を実施するための最良の形態】
【００１８】
以下、本考案の雨具販売装置を、図面を参照して詳細に説明するが、これらは例示的に示した実施形態であり、本考案はこれらの実施形態に限定されるものではなく、本考案の作用・効果を奏する限り、本考案の範囲に含まれるものである。
【００１９】
図１は、雨具販売装置の１つの構成例を示した図である。この雨具販売装置１０は、リング紐が付いた雨具もしくは傘またはその両方を販売するための雨具販売装置であり、長手方向の一端に架台１１が取り付けられ、架台１１から上方へ延びるように配置される軸部材１２を備える。
【００２０】
架台１１は、雨具販売装置１０が転倒しないように支持するために取り付けられるもので、装置を支持することができれば、いかなる形状、材質、大きさであってもよい。軸部材１２は、鉛直方向へ延びるように配置され、その径、長さは、この軸部材１２に取り付けられるリング状部材１３の大きさ、数等によって適切なものとされる。
【００２１】
リング状部材１３は、軸部材１２に複数の支持部材１４を用いて支持され、軸部材１２の周囲を取り囲むように離間して配置されたものとすることができる。このリング状部材１３には、雨具を取り付けるための雨具取付具１５が複数取り付けられるが、このように軸部材１２から離間して配置されたものとすることで、より多くの雨具取付具１５をこのリング状部材１３に取り付けることができる。リング状部材１３は、リング状であれば、その形状が円形に限られるものではなく、楕円形、略矩形等とすることもできる。
【００２２】
リング状部材１３は、少なくとも上下２段に複数の支持部材１４を用いて軸部材１２に支持されるが、その大きさはそれぞれ異なっている。同じ大きさにして、傘を取り付けた場合、下方にあるリンク状部材１３が邪魔となり、傘を雨具取付具１５に取り付けられなくなる場合があるからである。
【００２３】
図１では、リング状部材１３が３つの円形リングとされ、上方へ向かうにつれてその径が大きくなるように取り付けられている。また、これらの３つのリング状部材１３は、略等間隔で取り付けられているが、これに限られるものではなく、同心円状に同じ高さに取り付けられていてもよいし、上方へ向かうにつれてその径が小さくなるように取り付けられていてもよい。
【００２４】
軸部材１２、リング状部材１３、支持部材１４はいずれも、装置の転倒による折れ曲がり等を防止するために、強固なSUSやアルミニウム等の金属で作製されることが好ましい。また、架台１１は、装置の持ち逃げ等されないためにも、重いほうが好ましい。チェーン等を用いて建物等に固定することもできる。
【００２５】
雨具取付具１５は、リング紐に挿通可能な突出部１６と、突出部１６により形成される傘の柄を収納可能な収納部１７と、硬貨投入口１８と、投入された硬貨を案内する硬貨案内部と、収納部１７の開口を開閉するためにスライド可能なスライド部材１９と、スライド部材１９の一端に回動可能に取り付けられ、硬貨案内部に係止するための係止片を有する回動部とを備える。この雨具取付具１５は、各リング状部材１３に複数配設される。
【００２６】
雨具取付具１５は、硬貨の投入に伴い、係止片による係止を解除してスライド部材１９を所定方向へスライド可能にさせ、傘等を取り出し可能にさせるが、具体的な構成を、図２を参照して詳細に説明する。なお、傘等は、購入者がスライド可能となったスライド部材１９をスライドさせて取り出すものである。図２（ａ）は、外表面を示した図で、図２（ｂ）は、内部構造を示した図である。
【００２７】
図２（ａ）を参照すると、突出部１６は、雨具取付具１５本体から突出し、リング紐を掛けることができ、スライド部材１９の先端を収納することができる収容溝を備える。収納部１７は、突出部１６により形成され、傘の柄を収納可能にする。なお、収納部１７は、その開口がスライド部材１９により開閉可能とされる。硬貨投入口１８は、硬貨が通過可能なサイズとすることができるが、使用する硬貨のみが通過可能なサイズとすることもできる。例えば、１００円玉のみ等である。
【００２８】
スライド部材１９は、収納部１７の開口を開閉可能にし、閉じた状態の場合、収納部１７に収納された傘等の取り出しを不能にし、開いた状態の場合、傘等の取り出しを可能にする。なお、スライド部材１９には、購入者がスライドさせるためのレバー２０が設けられている。
【００２９】
図２（ｂ）を参照すると、硬貨案内部２１は、硬貨投入口１８に連続し、下方へ硬貨を案内することができればいかなる形状であってもよいが、硬貨投入口１８から棒状物で回動部２２を押し、硬貨を投入することなくスライドさせて傘等を取り出すことを防止すべく、例えば靴下のような、硬貨投入口１８から真下に落下するのではなく、途中がくの字に曲がった形状とすることができる。また、硬貨案内部２１は、回動部２２の上部へ落下するように末端に開口を有している。
【００３０】
スライド部材１９の一端は、突出部１６が備える収容溝に収容されるが、他端には、回動可能な回動部２２が取り付けられる。回動部２２は、スライド部材１９がスライドしないように硬貨案内部２１を構成する板に当接する係止片２３が設けられる。スライド部材１９の他端は、例えば、円柱状の突起２４を有し、回動部２２がその突起２４に嵌合する穴を有する構成により、回動可能とすることができ、また、硬貨が回動部２２上に載置されないときに、適切に係止することができるよう、コイルばね２５を設け、硬貨が載置されたときにのみ、回動する構造とすることができる。
【００３１】
雨具取付具１５を構成する突出部１６等はいずれも、容易に折れ曲がらないように、また、容易に破壊されないように、炭素鋼やSUS等の金属であることが好ましい。また、回動部２２の形状は、図２（ｂ）に示す形状に限られるものではなく、硬貨を載置できればいかなる形状であってもよく、係止片２３は、スライド部材１９により収納部１７の開口が閉じた状態のときに硬貨案内部２１に適切に係止でき、硬貨が載置され、回動部２２が回動した場合に硬貨案内部２１の下端に引っかからない形状であればいかなる形状であってもよい。したがって、単なる円柱状の突起であってもよい。
【００３２】
図３は、硬貨が投入されてからスライド部材１９をスライドさせた場合の回動部２２の様子を示した図である。雨具取付具１５が、硬貨投入前の、収納部１７の開口がスライド部材１９により閉鎖されている状態の場合、このスライド部材１９をスライドさせようとしても、図３（ａ）に示すように、係止片２３が、硬貨投入口１８に連続する硬貨を案内するための２枚の板から形成される硬貨案内部２１の１つの板２１ａに当接して、スライドさせることはできない。なお、全くスライド不能というものではなく、傘等を取り出すことはできないが、わずかにスライドさせることができるクリアランスは備えている。
【００３３】
一方、購入者が、硬貨２６を硬貨投入口１８に投入すると、図３（ｂ）に示すように、投入された硬貨２６が、硬貨案内部２１を通して回動部２２上に載置され、その重さによって回動部２２が突起２４を支点として回動し、係止片２３が下方へ押し下げられる。このように係止片２３が押し下げられると、硬貨案内部２１の１つの板２１ａへ当接することはなくなり、スライド部材１９のスライドが可能となる。
【００３４】
回動部２２上の硬貨２６は、硬貨回収時に取り除くこともできるが、図４に示すように、硬貨案内部２１のもう１つの板２１ｂに硬貨排出部２７を設け、スライド部材１９をスライドさせることにより係止片２３と当接し、その係止片２３によって押し出され、その近隣下方に別途設置される回収箱へ落とすような構成にされていてもよい。
【００３５】
硬貨排出部２７は、硬貨２６を排出するための硬貨排出口２８と、硬貨２６が回動部２２上へ載置されただけの状態においては硬貨排出口２８を閉鎖し、スライド部材１９のスライドに伴い押圧されることにより硬貨排出口２８を開放して硬貨２６を排出することを可能にする幕状物２９とを備える構成とすることができる。幕状物は、カーテン、垂れ幕とすることができ、そのほか、ヒンジにより回転可能な扉を用いることもできる。
【００３６】
この場合、図４（ａ）に示すように、硬貨２６が回動部２２上に載置されると、回動部２２が押し下げられ、それに伴い係止片２３も下げられ、スライド部材１９がスライド可能となる。図４（ｂ）に示すように、スライド部材１９をスライドさせると、係止片２３に硬貨２６が当接し、硬貨２６が押されて、幕状物２９を押し込む。幕状物２９は、硬貨２６によって押し上げられ、硬貨排出口２８から排出される。
【００３７】
上記では係止片２３により押し出す構成としているが、硬貨を十分に押し出すことができない場合、例えば、スライド部材１９に取り付けられ、スライド部材１９のスライドに伴い、回動部２２上に載置された硬貨２６を押し出して硬貨排出部２７から排出することを可能にする押出部材をさらに備えることができる。押出部材は、スライド部材１９に平行に配設される棒状物とすることができる。
【００３８】
この雨具取付具１５は、すべて同じ金額で販売するものとすることもできるが、傘の種類やかっぱと傘で異なる金額で販売することもでき、この場合、金額に応じてコイルばね２５のばね強度を調整することができる。
【００３９】
この雨具販売装置１０は、電源を必要としないので、設置場所には制約はなく、また、鍵を使用することもないので、鍵を管理するために近くに人員を配置することもない。この装置は、突然の雨に対して近くのスーパー等へ走ることなく即座に必要な雨具を提供することができるように、例えば、居酒屋やスナック等の店頭、野球場やサッカー場等の場内等に設置することができる。なお、屋外に設置する場合は、雨に濡れないように、軸部材１２の上部にパラソルを配設することができ、必要に応じて透明なカバーを設けることもできる。
【００４０】
雨具販売装置１０の利用方法としては、購入者は、所定の硬貨を用意し、雨具取付具１５が備える硬貨投入口１８へ用意した硬貨を投入する。投入金額は、購入者に見やすい位置に表示することができる。例えば、軸部材１２の上端にボードを取付け、そのボードに記載して表示することができる。その金額が２００円であれば、１００円硬貨２枚を用意し、投入する。
【００４１】
雨具取付具１５では、投入された硬貨が回動部２２の上に載置され、その重さにより、回動部２２が押し下げられる。硬貨が投入されるまでは、スライド部材１９は、回動部２２が備える係止部２３が硬貨案内部２１に引っかかってスライド不能に係止され、そのスライド部材１９によって収納部１７の開口が閉鎖された状態で維持されるため、傘を取り出すことができない。一方、硬貨の投入によって回動部２２が押し下げられると、係止片２３による係止が解除されることにより、スライド部材１９がスライド可能とされ、収納部１７が開く。このため、購入者は、その収納部１７から傘を取り出すことができる。
【００４２】
雨具取付具１５には、投入された硬貨を取り出すための硬貨取出口があり、その硬貨取出口は施錠される。この装置の管理者は、鍵を持って定期的に見回り、購入者が購入したことにより傘がなくなっていたら、鍵を使用して硬貨を回収するとともに傘を補充することができる。傘の補充は、開いたままの収納部１７へ新しい傘の柄を収納し、スライド部材１９を突出部１６へ向けてスライドさせ、係止片２３がスライド部材１９をスライド不能に係止して収納部１７を閉鎖することにより行われる。
【００４３】
これまで雨具販売装置を図１に示した１つの構成例を参照しながら説明してきたが、以下に例示する構成や構造とすることもできる。
【００４４】
例えば、軸部材１２と複数の支持部材１４とが、ヒンジを用いて連結され、リング状部材１３が、一部に伸縮および変形可能な弾性部材を含むものとすることができる。このような構成および構造にすることで、保管や搬送に便利となる。
【００４５】
図５（ａ）に示すように、雨具販売装置１０の移送時には、ヒンジ３０を中心として複数の支持部材１４を軸部材１２へ向けて、すなわち矢線Ａに示す方向へ倒し、リング状部材１３が備える弾性部材３１が収縮および変形してコンパクトにすることができる。弾性部材３１としては、ゴム、コイルばね等とすることができる。
【００４６】
一方、図５（ｂ）に示すように、設置時には、ヒンジ３０を中心として複数の支持部材１４を軸部材１２から離間する方向、すなわち矢線Ｂに示す方向へ倒し、リング状部材１３が備える弾性部材３１が伸長して、傘等を雨具取付具１５に取り付け、購入者が傘等を購入することができる状態にすることができる。
【００４７】
弾性部材３１は、支持部材１４が連結される間のリング状部材１３の一部に設けることができ、図１に示すように、４つの支持部材１４が連結される場合、それぞれの間に４つ設けることができる。このように、各間に設けることで、適切にコンパクトにたたむことができる。また、必要に応じて、支持部材１４が所定位置を越えて倒れないように、その位置に固定するためのフックやねじ等の留め具を設けることができる。
【００４８】
別の実施形態として、軸部材１２は、図６に示すように、硬貨を取り出す硬貨取出口４０を備え、支持部材１４は、雨具取付具１５から軸部材１２へと連通する連通部４１を内部に備えることができる。この場合、投入された硬貨２６は、上記のようにして硬貨排出部２７から排出され、連通部４１を通して硬貨取出口４０へと落下させ、その硬貨取出口４０から一括して硬貨を回収することができる。硬貨排出部２７から連通部４１までは、硬貨２６を搬送するための傾斜部等を設けることができる。
【００４９】
図６に示すように、各雨具取付具１５と軸部材１２との間には支持部材１４がそれぞれ設けられ、その支持部材１４の内部には中空の連通部４１が形成されている。支持部材１４は、地面に対して傾斜して配設されており、上方に雨具取付具１５が取り付けられているため、投入された硬貨２６はその連通部４１を通してすべり落ちる。軸部材１２の内部も中空とされ、支持部材１４が取り付けられた位置より下方に硬貨２６を受け取るための回収箱が設けられる。この回収箱は、硬貨取出口４０に挿脱可能とされており、回収時には引き出され、回収後は再び挿入される。
【００５０】
この回収箱も、管理者が持つ鍵により施錠することができるようにされ、定期的に回収することができる。なお、鍵は、南京錠やダイヤル式の鍵とすることができる。
【００５１】
本考案では、電源を必要とせず、購入時に鍵を使用することもなく、設置が容易で、その管理も容易で、簡単な構造の雨具販売装置を提供することができる。この雨具販売装置は、リング紐が付けられた商品であれば、雨具に限らず適用可能なものである。
【図面の簡単な説明】
【００５２】
【図１】雨具販売装置の１つの実施形態を示した図。
【図２】雨具販売装置が備える雨具取付具の構成例を示した図。
【図３】硬貨が投入されてからスライド部材をスライドさせた場合の回動部の様子を示した図。
【図４】硬貨排出部の構成例を示した図。
【図５】雨具販売装置の別の実施形態を示した図。
【図６】雨具販売装置のさらに別の実施形態を示した図。
【符号の説明】
【００５３】
１０…雨具販売装置、１１…架台、１２…軸部材、１３…リング状部材、１４…支持部材、１５…雨具取付具、１６…突出部、１７…収納部、１８…硬貨投入口、１９…スライド部材、２０…レバー、２１…硬貨案内部、２２…回動部、２３…係止片、２４…突起、２５…コイルばね、２６…硬貨、２７…硬貨排出部、２８…硬貨排出口、２９…幕状物、３０…ヒンジ、３１…弾性部材、４０…硬貨取出口、４１…連通部
【図１】
0003149654.tif 000003
【図２】
0003149654.tif 000004
【図３】
0003149654.tif 000005
【図４】
0003149654.tif 000006
【図５】
0003149654.tif 000007
【図６】
0003149654.tif 000008
【手続補正書】
【提出日】平成21年2月3日(2009.2.3)
【手続補正１】
【補正対象書類名】実用新案登録請求の範囲
【補正対象項目名】請求項５
【補正方法】変更
【補正の内容】
【請求項５】
前記硬貨案内部は、前記回動部上に載置された前記硬貨が前記スライド部材のスライドによって前記係止片と当接し、前記係止片によって前記スライド部材のスライド方向へ押し出されることを可能にする硬貨排出部を備える、請求項１〜４のいずれか１項に記載の雨具販売装置。
【手続補正２】
【補正対象書類名】実用新案登録請求の範囲
【補正対象項目名】請求項６
【補正方法】変更
【補正の内容】
【請求項６】
前記スライド部材に取り付けられ、前記スライド部材のスライドに伴い、前記回動部上に載置された前記硬貨を押し出して前記硬貨案内部に設けられた硬貨排出部から排出することを可能にする押出部材をさらに備える、請求項１〜４のいずれか１項に記載の雨具販売装置。